(57)【要約】      （修正有）【課題】出射光の均一性を高めることができるバックライトモジュール及び表示装置を提供する。【解決手段】バックライトモジュール１００はフレーム１２０と、導光板１４０と、接続部材１６０と、光源１８０とを備える。導光板１４０はフレーム１２０に設置されている。導光板１４０は、入射面１４１と、入射面１４１に接続される光学面１４３とを備える。導光板１４０の入射面１４１は斜面であり、入射面１４１には複数のマイクロレンズ構造が設けられている。接続部材１６０は光学面１４３に設置され且つ入射面１４１に隣接する。接続部材１６０は導光板１４０をフレーム１２０に固定するためである。光源１８０は入射面１４１に隣接して設置され、光を発生する。光源１８０からの光の全部又は一部は、斜面形状の当該入射面１４１で屈折して、導光板１４０に入射した後に接続部材１６０から離れる方向へ進む。【選択図】図１
0003205491.tif 000002
【実用新案登録請求の範囲】
【請求項１】
フレームと、
斜面であり且つ複数のマイクロレンズ構造が設けられている入射面と、前記入射面に接続されている光学面とを含み、前記フレームに設置されている導光板と、
前記光学面に設置され且つ前記入射面に隣接し、前記導光板を前記フレームに固定している接続部材と、
前記入射面に隣接して設置され、光を発生する光源と、を備え、
前記光源からの前記光の全部又は一部は、斜面形状の前記入射面で屈折して、前記導光板に入射した後に前記接続部材から離れる方向へ進むバックライトモジュール。
【請求項２】
前記光学面は反射面であり、
前記導光板は更に、前記光学面に対向する出射面を備え、
前記入射面の前記光学面に接続されている第１の縁は、前記入射面の前記出射面に接続されている第２の縁よりも前記光源から離れている請求項１に記載のバックライトモジュール。
【請求項３】
前記光学面は出射面であり、
前記導光板は更に、前記光学面に対向する反射面を備え、
前記入射面の前記光学面に接続されている第１の縁は、前記入射面の前記反射面に接続されている第２の縁よりも前記光源から離れている請求項１に記載のバックライトモジュール。
【請求項４】
前記複数のマイクロレンズ構造のそれぞれはストリップ状構造であり、前記複数のマイクロレンズ構造のそれぞれの延伸方向は前記入射面の傾斜方向と平行である請求項１乃至３のいずれか１項に記載のバックライトモジュール。
【請求項５】
前記複数のマイクロレンズ構造のそれぞれはストリップ状構造であり、前記複数のマイクロレンズ構造のそれぞれの延伸方向は前記入射面の傾斜方向に対して垂直である請求項１乃至３のいずれか１項に記載のバックライトモジュール。
【請求項６】
前記複数のマイクロレンズ構造のそれぞれはドット状構造又はプリズム構造である請求項１乃至３のいずれか１項に記載のバックライトモジュール。
【請求項７】
前記フレームは配置部を有し、前記接続部材は前記配置部に設置されている請求項１乃至６のいずれか１項に記載のバックライトモジュール。
【請求項８】
前記接続部材はテープである請求項１乃至７のいずれか１項に記載のバックライトモジュール。
【請求項９】
請求項１乃至８のいずれか１項に記載のバックライトモジュールと、
前記導光板の前方に位置する表示パネルと、
を含む、表示装置。
【考案の詳細な説明】
【技術分野】
【０００１】
本考案は光源モジュールに関し、特にバックライトモジュール及びそれを用いた表示装置に関する。
【背景技術】
【０００２】
バックライトモジュールの一般的な設計において、導光板を固定するために、通常、両面テープを導光板の底面に接着させた後に、両面テープにより導光板をバックプレートに接着させる。
【０００３】
しかしながら、光源で発生される光が導光板の入射面から導光板に入射した後に、両面テープに入射された光は、両面テープの材質又は色の相違によって、両面テープに反射又は吸収される。このようにして、導光板に入射された光が両面テープに反射又は吸収された後に、ライトリーク又はバックライトモジュールからの出射光が均一でない問題が引き起こされている。
【考案の概要】
【考案が解決しようとする課題】
【０００４】
従って、本考案は、出射光の均一性を高めることができるバックライトモジュール及び表示装置を提供することを目的とする。
【課題を解決するための手段】
【０００５】
本考案の上記目的に基づいて、バックライトモジュールを提供している。当該バックライトモジュールはフレームと、導光板と、接続部材と、光源とを備える。導光板はフレームに設置されている。また、導光板は、入射面と、入射面に接続される光学面とを含む。そのうち、導光板の入射面は斜面であり、入射面には複数のマイクロレンズ構造が設けられている。接続部材は光学面に設置され且つ入射面に隣接し、且つ接続部材は導光板をフレームに固定するためである。光源は入射面に隣接して設置され、光を発生する。光源からの光の全部又は一部は、斜面形状の入射面で屈折して、導光板に入射した後に接続部材から離れる方向へ進む。
【０００６】
本考案の実施例に基づき、上記の光学面は反射面である。導光板は更に、光学面に対向する出射面を含む。そのうち、入射面の光学面に接続されている第１の縁は、入射面の出射面に接続されている第２の縁よりも光源から離れている。
【０００７】
本考案の他の実施例に基づき、上記の光学面は出射面である。導光板は更に、光学面に対向する反射面を備える。そのうち、入射面の光学面に接続されている第１の縁は、入射面の反射面に接続されている第２の縁よりも光源から離れている。
【０００８】
本考案の他の実施例に基づき、上記マイクロレンズ構造のそれぞれはストリップ状構造であり、マイクロレンズ構造のそれぞれの延伸方向は入射面の傾斜方向と平行である。
【０００９】
本考案の他の実施例に基づき、上記のマイクロレンズ構造のそれぞれはストリップ状構造であり、マイクロレンズ構造のそれぞれの延伸方向は入射面の傾斜方向に対して垂直である。
【００１０】
本考案の他の実施例に基づき、上記のマイクロレンズ構造のそれぞれはドット状構造又はプリズム構造である。
【００１１】
本考案の他の実施例に基づき、上記のフレームは配置部を有し、接続部材は配置部に設置される。
【００１２】
本考案の他の実施例に基づき、上記の接続部材はテープである。
【００１３】
本考案の上記目的に基づいて、さらに表示装置を提供する。当該表示装置は、前記のバックライトモジュールと、表示パネルとを備える。そのうち、表示パネルは、バックライトモジュールにおける導光板の前方に位置する。
【考案の効果】
【００１４】
上記から分かるように、本考案は、導光板の入射面を斜面に設置することにより、光が入射面から導光板に入射された後に、接続部材に入射されることを減少させる。これにより、導光板に入射される光が接続部材に反射又は吸収される等の不確定の要素の影響を明らかに低下させることができるため、バックライトモジュールの出射光が均一でない問題を改善できる。
【００１５】
また、導光板の入射面にはマイクロレンズ構造が設けられ、光源で発生される光の入射角度及びその均一性を増加させることができ、導光板における入射面に接近する部分に暗帯が発生される問題を回避できる。
【図面の簡単な説明】
【００１６】
実施例及びその利点をより良く理解するために、以下の図面を参照して説明する。
【図１】図１は、本考案の第１の実施形態に基づくバックライトモジュールの一部の装置の模式図を示す。
【図２】図２は、本考案の第１の実施形態に基づくバックライトモジュールの平面模式図を示す。
【図３】図３は、本考案の第１の実施形態に基づく第１の導光板の入射面の正面図を示す。
【図４】図４は、本考案の第１の実施形態に基づく第２の導光板の入射面の正面図を示す。
【図５】図５は、本考案の第１の実施形態に基づく第３の導光板の入射面の正面図を示す。
【図６】図６は、本考案の第２の実施形態に基づくバックライトモジュールの一部の装置の模式図を示す。
【図７】図７は、本考案の一実施形態に基づく表示装置の一部の装置の模式図を示す。
【考案を実施するための形態】
【００１７】
先ず、図１を参照して、本考案の第１の実施形態に基づくバックライトモジュールの一部の装置の模式図を示す。本実施形態のバックライトモジュール１００は、フレーム１２０と、導光板１４０と、接続部材１６０と、光源１８０とを備える。導光板１４０は、接続部材１６０によりフレーム１２０に設置される。そのうち、導光板１４０の入射面１４１は斜面に設けられ、このような斜面の設計により、光源１８０で発生される光が導光板１４０に入射した後に接続部材１６０へ入射することを回避でき、さらに接続部材１６０が導光板１４０の出射光の効果に影響を与えることを回避できる。
【００１８】
次に、図１を参照して、本実施例において、フレーム１２０はバックプレートであってもよく、導光板１４０はフレーム１２０に設置される。図１に示すように、導光板１４０は、入射面１４１と、光学面１４３と、出射面１４５とを含む。本実施例において、光学面１４３は反射面であり、且つ光学面１４３は出射面１４５に対向する。また、入射面１４１は、第１の縁１４１ａと、第２の縁１４１ｂとを含み、光学面１４３と出射面１４５はそれぞれに第１の縁１４１ａと第２の縁１４１ｂに接続される。また、図１に示すように、フレーム１２０は配置部１２１を有し、接続部材１６０は配置部１２１に設置される。実施例において、接続部材１６０はテープであってもよく、且つ導光板１４０の光学面１４３の、入射面１４１に近い位置に接着される。これにより、接続部材１６０により導光板１４０をフレーム１２０に固定することができる。なお、幾つかの実施例において、導光板１４０の光学面１４３には、接続部材１６０を収納するための凹溝が設置されてもいい。
【００１９】
図１と図２を同時に参照すると、そのうち、図２は、本考案の第１の実施形態に基づくバックライトモジュールの平面模式図を示す。本実施例において、光源１８０は入射面１４１の側に設置され、光源１８０で発生される光は入射面１４１から導光板１４０に入射して、出射面１４５から射出される。図１に示すように、本実施例において、導光板１４０の入射面１４１は、斜面である。本実施例において、入射面１４１の光学面１４３に接続される第１の縁１４１ａは、入射面１４１の出射面１４５に接続されている第２の縁１４１ｂよりも光源１８０から離れている。これにより、斜面形状による入射面１４１の設計により、光源１８０で発生される光の全部又は一部は、入射面１４１の屈折を介して導光板１４０に入射された後に、接続部材１６０から離れる方向へ入射されるため、光が接続部材１６０に反射又は吸収されて出射光が均一でない問題を回避できる。
【００２０】
また、図２と図３を同時に参照すると、そのうち、図３は、本考案の第１の実施形態に基づく第１の導光板の入射面の正面図を示す。幾つかの実施例において、導光板１４０の入射面１４１には複数のマイクロレンズ構造１４１ｃが設けられる。本実施例において、マイクロレンズ構造１４１ｃのそれぞれはストリップ状構造である。また、図２及び図３に示すように、マイクロレンズ構造１４１ｃのそれぞれの延伸方向は入射面１４１の傾斜方向に平行している。即ち、マイクロレンズ構造１４１ｃの延伸方向は、入射面１４１の第１の縁１４１ａと第２の縁１４１ｂに垂直する方向に平行している。幾つかの例示において、マイクロレンズ構造１４１ｃは、円柱状又は三角柱状の構造であってもよい。これにより、マイクロレンズ構造１４１ｃにより光源１８０で発生される光の入射角度を増加させるため、導光板１４０の入射面１４１に近い部分に暗帯が発生される問題を回避できる。
【００２１】
なお、図２と図３に示す実施例において、マイクロレンズ構造１４１ｃの延伸方向は、入射面１４１の第１の縁１４１ａと第２の縁１４１ｂに垂直する方向に平行しているが、それが本考案を限定するものではない。他の実施例において、入射面１４１のマイクロレンズ構造は異なる延伸方向を有してもよい。図４を参照すると、それは本考案の第１の実施形態に基づく第２の導光板の入射面の正面図を示す。図４に示す実施例において、入射面１４１のマイクロレンズ構造１４１ｄは同様にストリップ状構造であるが、当該ストリップ状構造の延伸方向は、第１の縁１４１ａ又は第２の縁１４１ｂの延伸方向に平行している。幾つかの例示において、マイクロレンズ構造１４１ｄは、円柱状又は三角柱状の構造であってもよい。
【００２２】
幾つかの実施例において、マイクロレンズ構造は図２乃至図４に示すストリップ状形状に限定されるものではない。図５を参照すると、それは本考案の第１の実施形態に基づく第３の導光板の入射面の正面図を示す。図５に示す実施例において、入射面１４１のマイクロレンズ構造１４１ｅはプリズム構造である。他の実施例において、入射面１４１のマイクロレンズ構造はドット状構造であっても良いし、入射光に均一とさせる他の構造であっても良い。
【００２３】
本考案において、導光板の入射面の傾斜方向は接続部材の設置の位置により決められる。図１に示す実施例において、接続部材１６０は導光板の底面に設置されている。他の実施例において、接続部材の設置の位置が異なっても良く、且つ導光板の入射面は接続部材の設置に対応して傾斜している。図６を参照すると、それは本考案の第２の実施形態に基づくバックライトモジュールの一部の装置の模式図を示す。
【００２４】
図６に示すように、本実施形態のバックライトモジュール２００は同様にフレーム２２０と、導光板２４０と、接続部材２６０と、光源２８０とを備える。本実施例において、フレーム２２０はプラスチック枠であっても良く、導光板２４０はフレーム２２０に設置されている。図６に示すように、導光板２４０は、入射面２４１と、光学面２４３と、反射面２４５とを含む。本実施例において、光学面２４３は出射面であり、光学面２４３は反射面２４５に対向している。また、入射面２４１は、第１の縁２４１ａ又は第２の縁２４１ｂを有し、光学面２４３と反射面２４５はそれぞれに第１の縁２４１ａ又は第２の縁２４１ｂに接続されている。また、図６に示すように、フレーム２２０は配置部２２１を有し、接続部材２６０は配置部２２１に設置されている。実施例において、接続部材２６０は、テープであっても良く、且つ導光板２４０の光学面２４３の、入射面２４１に近い位置に接着される。これにより、接続部材２６０により導光板２４０をフレーム２２０に固定することができる。なお、幾つかの実施例において、導光板２４０の光学面２４３には、接続部材２６０を収納するための凹溝が設置されていてもいい。
【００２５】
次に、図６を参照して、本実施例において、光源２８０は入射面２４１の側に設置され、光源２８０で発生される光は入射面２４１から導光板２４０に入射して、光学面２４３から射出される。図６に示すように、本実施例において、導光板２４０の入射面２４１は、斜面である。本実施例において、入射面２４１の光学面２４３に接続される第１の縁２４１ａは、入射面２４１の反射面２４５に接続されている第２の縁２４１ｂよりも光源２８０から離れている。これにより、斜面形状による入射面２４１の設計により、光源２８０で発生される光の全部又は一部は入射面２４１の屈折を介して導光板２４０に入射した後に、接続部材２６０から離れる方向へ入射されるため、同様に光が接続部材２６０に反射又は吸収されて出射光が均一でない問題を回避できる。
【００２６】
なお、図６に示す実施例において、導光板２４０の入射面２４１には同様に図３乃至図５に示すマイクロレンズ構造１４１ｃ、１４１ｄ及び１４１ｅを設置することができる。これにより、マイクロレンズ構造１４１ｃ、１４１ｄ及び１４１ｅにより光源２８０で発生される光の入射角度及びその均一性を増加させるため、同様に導光板２４０の、入射面２４１に接近する部分に暗帯が発生される問題を回避できる。
【００２７】
また、図７を参照すると、それは本考案の一実施形態に基づく表示装置の一部装置の模式図を示す。本実施形態の表示装置３００は、図１に示すバックライトモジュール１００と、表示パネル３１０とを備える。図７に示すように、表示パネル３１０は、バックライトモジュール１００の導光板１４０の前方に設置され、同様に前記と同じ目的に達し得るため、ここで説明を省略する。なお、本願の図１に示すバックライトモジュール１００を表示装置３００の実施例に適用することを模式的に説明するのみであり、本考案を限定するものではない。他の実施例において、図６に示すバックライトモジュール２００も表示装置に適用されて、同じ効果を実現できる。
【００２８】
上記の本考案の実施形態から分かるように、本考案は導光板の入射面を斜面とする設計により、光が入射面から導光板に入射された後に、接続部材に入射されることを減少できる。これにより、導光板に入射される光が接続部材に反射又は吸収される等の不確定の要素の影響を明らかに低下させることができるため、バックライトモジュールの出射光が均一でない問題を改善できる。
【００２９】
また、導光板の入射面にはマイクロレンズ構造が設けられることにより、光源で発生される光の入射角度及びその均一性を増加させるため、同様に導光板の入射面に接近する部分に暗帯が発生される問題を回避できる。
【００３０】
本考案は既に実施形態として上記のように開示されているが、本考案を限定するものではなく、当業者は、本考案の要旨と範囲を超えない範囲内で、各種の変更と修飾を行うべきである。従って、本考案の保護範囲は、実用新案登録請求の範囲により限定されたものを基準とする。
【符号の説明】
【００３１】
１００：バックライトモジュール
１２０：フレーム
１２１：配置部
１４０：導光板
１４１：入射面
１４１ａ：第１の縁
１４１ｂ：第２の縁
１４１ｃ：マイクロレンズ構造
１４１ｄ：マイクロレンズ構造
１４１ｅ：マイクロレンズ構造
１４３：光学面
１４５：出射面
１６０：接続部材
１８０：光源
２００：バックライトモジュール
２２０：フレーム
２２１：配置部
２４０：導光板
２４１：入射面
２４１ａ：第１の縁
２４１ｂ：第２の縁
２４３：光学面
２４５：反射面
２６０：接続部材
２８０：光源
３００：表示装置
３１０：表示パネル
【図１】
0003205491.tif 000003
【図２】
0003205491.tif 000004
【図３】
0003205491.tif 000005
【図４】
0003205491.tif 000006
【図５】
0003205491.tif 000007
【図６】
0003205491.tif 000008
【図７】
0003205491.tif 000009